(57)【要約】      （修正有）【課題】シル部材を有していない車両であっても、ラッププリテンショナを確実に車体に固定可能な車両のシートベルト装置を提供する。【解決手段】所定以上の衝撃力が車体に加わるとシートベルト１２を引き込むラッププリテンショナ２０を車体のフロア部材６に設けられたアンカ部４０に結合するようにした。フロアパネル６には、センターピラー２の近傍に位置して、ラッププリテンショナ２０をフロアパネル６に取り付けるためのラッププリテンショナ取付ブラケット４０がボルト５０によって結合されている。これにより、取付ブラケット４０を含んで、ラッププリテンショナ２０をフロアパネル６に固定するアンカ部２０が構成する。【選択図】図１
2015116834.tif 000002
【特許請求の範囲】
【請求項１】
車体のフロア部材に設けられたアンカ部と、
前記アンカ部に結合されるとともにシートベルトの先端部と連結して設けられ、所定以上の衝撃力が車体に加わると、前記シートベルトを引き込むラッププリテンショナと、
を備えたことを特徴とする車両のシートベルト装置。
【請求項２】
前記アンカ部は、前記フロア部材に結合されて立面を有する取付ブラケットを含み、
前記ラッププリテンショナは、前記取付ブラケットの前記立面に結合されてなることを特徴とする、請求項１に記載の車両のシートベルト装置。
【請求項３】
前記アンカ部は、前記フロア部材のうち車体のピラー部材の近傍に位置して設けられてなることを特徴とする、請求項１または２に記載の車両のシートベルト装置。
【請求項４】
前記ラッププリテンショナは、
ピストンを収容したシリンダと、一端部が前記ピストンに連結されるとともに他端部が前記シートベルトの先端部に連結されたワイヤ部材と、所定以上の衝撃力が車体に加わると該ワイヤ部材を前記シリンダ内に引き込むよう前記ピストンを作動させる作動手段と、前記シリンダの前記ワイヤ部材側の端部に設けられた固定部とを備え、
前記シリンダが前記ピラー部材に沿って延びるような姿勢を有して、前記固定部が前記アンカ部に結合されてなることを特徴とする、請求項３に記載の車両のシートベルト装置。
【発明の詳細な説明】
【技術分野】
【０００１】
本発明は、ラッププリテンショナを有して構成される車両のシートベルト装置に係り、詳しくはラッププリテンショナの取付構造に関する。
【背景技術】
【０００２】
車両には、シートに着座した乗員を拘束するべくシートベルト装置が設けられている。シートベルト装置としては、リトラクタをピラー部材に設け、リトラクタから引き出されるシートベルトの先端部を例えばピラー部材下部に設けたアンカ部に固定し、シートベルトの中間位置に設けたタングをシート脇のバックルへ差し込んで接続することで、ラップベルト部分で乗員の腰部を、ショルダベルト部分で乗員の肩部をフロントシートに拘束する構成の三点式シートベルト装置が一般的である。
【０００３】
そして、近年、シートベルト装置において、安全性を一層高めるために、アンカ部とシートベルトの先端部との間にラッププリテンショナと呼ばれる装置を介装することが知られている。
ラッププリテンショナは、所定以上の衝撃力が加わると、シートベルトを先端側から引き込んで、シートに着座している乗員をさらに抑え付ける働きをもつ装置である。具体的には、ラッププリテンショナは、一般に火薬などのガス発生剤、点火部やピストンを備えたシリンダ、同シリンダの一端側にピストンとつながる中継部材を有している。そして、シリンダの一端側を固定し、中継部材の先端部をシートベルトの先端部に接続することより、シリンダ内部でガスを発生させたときに生ずるピストンの変位をシートベルトに伝えて、シートベルトを引き込む構造としている（特許文献１）。
【先行技術文献】
【特許文献】
【０００４】
【特許文献１】特開２００４−３５９０２８号公報
【発明の概要】
【発明が解決しようとする課題】
【０００５】
ところで、シートベルトの先端部を固定するアンカ部は、ピラー部材下部のシル部材の剛性が高いことから、当該シル部材に設けるのが一般的であり、ラッププリテンショナについても、上記特許文献１に示すように、シル部材に固定するようにしている。
しかしながら、ピックアップトラック等、車体下部にフレームを有した車体構造からなる車両にあっては、シル部材を有していないことが多く、この場合、ラッププリテンショナの固定位置が問題となる。
【０００６】
本発明は、この様な問題を解決するためになされたもので、その目的とするところは、シル部材を有していない車両であっても、ラッププリテンショナを確実に車体に固定可能な車両のシートベルト装置を提供することにある。
【課題を解決するための手段】
【０００７】
請求項１の車両のシートベルト装置は、車体のフロア部材に設けられたアンカ部と、前記アンカ部に結合されるとともにシートベルトの先端部と連結して設けられ、所定以上の衝撃力が車体に加わると、前記シートベルトを引き込むラッププリテンショナとを備える。
請求項２の車両のシートベルト装置では、請求項１において、前記アンカ部は、前記フロア部材に結合されて立面を有する取付ブラケットを含み、前記ラッププリテンショナは、前記取付ブラケットの前記立面に結合されてなる。
【０００８】
請求項３の車両のシートベルト装置では、請求項１または２において、前記アンカ部は、前記フロア部材のうち車体のピラー部材の近傍に位置して設けられてなる。
請求項４の車両のシートベルト装置では、請求項３において、前記ラッププリテンショナは、ピストンを収容したシリンダと、一端部が前記ピストンに連結されるとともに他端部が前記シートベルトの先端部に連結されたワイヤ部材と、所定以上の衝撃力が車体に加わると該ワイヤ部材を前記シリンダ内に引き込むよう前記ピストンを作動させる作動手段と、前記シリンダの前記ワイヤ部材側の端部に設けられた固定部とを備え、前記シリンダが前記ピラー部材に沿って延びるような姿勢を有して、前記固定部が前記アンカ部に結合されてなる。
【発明の効果】
【０００９】
請求項１の車両のシートベルト装置によれば、シートベルトを引き込むラッププリテンショナを車体のフロア部材に設けられたアンカ部に連結するようにしたので、車体としてシル部材を有さない車両であっても、ラッププリテンショナを確実に車体に固定することができる。
請求項２の車両のシートベルト装置によれば、ラッププリテンショナをフロア部材に結合されて立面を有する取付ブラケットの当該立面に結合するので、ラッププリテンショナを取付ブラケットを介して自在にフロア部材に固定することができる。
【００１０】
請求項３の車両のシートベルト装置によれば、アンカ部はフロア部材のうち車体のピラー部材の近傍に位置して設けられているので、ラッププリテンショナが乗員の車両への乗降時において乗員の邪魔にならないようにできる。
請求項４の車両のシートベルト装置によれば、シリンダを備えたラッププリテンショナにおいて、シリンダがピラー部材に沿って延びるような姿勢を有してラッププリテンショナの固定部をアンカ部に結合するので、ラッププリテンショナのシリンダが乗員の車両への乗降時において乗員の邪魔にならないようにできる。
【図面の簡単な説明】
【００１１】
【図１】本発明に係る車両のシートベルト装置におけるラッププリテンショナの取付構造を示す斜視図である。
【図２】図１のＡ−Ａ線に沿う縦断面図である。
【発明を実施するための形態】
【００１２】
以下、本発明に係る車両のシートベルト装置の一実施形態を図１、図２に基づいて説明する。
本発明に係る車両のシートベルト装置が適用される車両は、例えば、車体の下部にフレームを有するとともに、フロントシートとリヤシートとを有し、車体側面にセンターピラーを挟んでフロントドアとリヤドアとを有したピックアップトラックである。
【００１３】
図１は、車両に設けられたフロントシート用の三点式シートベルト装置の主要部、即ち車体部材であるセンターピラー（ピラー部材）２の下部に設けられたリトラクタ１０とラッププリテンショナ２０の取付構造を示す斜視図である。なお、ここでは、便宜上、車体部材を覆うトリム部品は省略してある。
同図に示すように、センターピラー２は、センターピラーアウタ２ａとセンターピラーインナ２ｂとを溶接接合して構成されており、リトラクタ１０は、センターピラーインナ２ｂの下部開口部３からセンターピラー２内に収納され、センターピラーインナ２ｂにボルト４、５で固定されている。
【００１４】
リトラクタ１０とラッププリテンショナ２０とはシートベルト１２で連結されており、これによりシートベルト１２がフロントシートに着座した乗員をフロントシート拘束可能となる。なお、車両のシートベルト装置の基本機能及びリトラクタ１０の構成の詳細については公知であり、ここでは説明を省略する。
ところで、当該車両では、車体の下部にフレームを有していることから、車体の側面下部にはシル部材を有しておらず、同図に示すように、センターピラー２は、下端部にて直接フロアパネル（フロア部材）６に溶接接合されている。このように、車体がシル部材を有していないと、ラッププリテンショナ２０については従来のように剛性の高いシル部材に固定することができない。
【００１５】
そこで、本発明に係る車両のシートベルト装置では、フロアパネル６にラッププリテンショナ２０を固定するようにしており、以下、ラッププリテンショナ２０の構成及びラッププリテンショナ２０のフロアパネル６への取付構造について説明する。
ラッププリテンショナ２０は、所定以上の衝撃力が加わると、シートベルト１２を先端側から引き込むように作動するインフレータ式の機器として構成されている。
【００１６】
詳しくは、ラッププリテンショナ２０は、細長のシリンダ２２と、同シリンダ２２内に収容されたピストン及び火薬などのガス発生剤（作動手段）（共に図示せず）と、ガス発生剤に点火する点火部（作動手段）２４と、シリンダ２２の一端部から前方へ突き出るように設けられ、中央に固定孔２７（図２参照）を有する板形のフレーム部（固定部）２６と、フレーム部２６の固定孔２７の周りに略半周に渡り形成されたワイヤ挿通路２８と、このワイヤ挿通路２８内に変位可能に挿通されたワイヤ部材３０とを有している。ワイヤ部材３０の一端部は、シリンダ２２内のピストンに連結されており、ワイヤ部材３０の他端部は、ベルト接続具３２を介してシートベルト１２の先端部に連結されている。また、ワイヤ部材３０及びベルト接続具３２はカバー部材３４で覆われている。
【００１７】
そして、フロアパネル６には、センターピラー２の近傍に位置して、ラッププリテンショナ２０をフロアパネル６に取り付けるためのラッププリテンショナ取付ブラケット（以下、単に取付ブラケット）４０がボルト５０によって結合されている。これにより、取付ブラケット４０を含んで、ラッププリテンショナ２０をフロアパネル６に固定するアンカ部が構成されている。
【００１８】
図２に示すように、取付ブラケット４０は、Ｌ字状に屈曲して、外面がフロアパネル６に当接する底面４１と外面がセンターピラー２側を向く立面４２とからなり、底面４１が断面ハット状にして中央に貫通孔４４の穿設された凹部４３を有し、立面４２が中央にラッププリテンショナ２０を結合するための貫通孔４５を有するとともに外面の貫通孔４５の周りにウェルドナット４６を有して構成されている。
【００１９】
図２に示すように、フロアパネル６には貫通孔７が穿設されており、フロアパネル６の背面には、貫通孔９を貫通孔７に合わせるようにしてフロアパネル６よりも厚板のリーンフォース８が補強部材として溶接接合されており、リーンフォース８の貫通孔９周りにはウェルドナット９ａが設けられている。
これより、取付ブラケット４０は、ボルト５０が貫通孔４４及び貫通孔７、９を貫通してウェルドナット９ａに螺合されることで、フロアパネル６に結合されている。
【００２０】
そして、上記のように構成されたラッププリテンショナ２０は、シリンダ２２がセンターピラー２に沿いフロアパネル６に対し略垂直となり、ワイヤ挿通路２８端から導出するワイヤ部材３０が車両の斜め前上方へ延びるような姿勢を有して、ボルト６０がフレーム部２６の固定孔２７、スペーサ６２及び取付ブラケット４０の貫通孔４５を貫通してウェルドナット４６に螺合されることで、取付ブラケット４０に結合されている。
【００２１】
このように、ラッププリテンショナ２０は、シル部材を有さない車体においても、取付ブラケット４０を介してフロアパネル６に強固に固定されている。
そして、ラッププリテンショナ２０がフロアパネル６に固定された場合であっても、ラッププリテンショナ２０により、衝突などにより車両に所定以上の衝撃力が加わると、シリンダ２２の内部でガスが発生し、このガスの膨張でピストンが変位し、このピストンの変位がワイヤ部材３０およびベルト接続具３２を介してシートベルト１２へ伝達され、シートベルト１２を引き込む。これにより、フロントシートに着座している乗員は、シートベルト１２によってフロントシートに抑え付けられる。
【００２２】
以上、説明したように、本発明に係る車両のシートベルト装置によれば、ラッププリテンショナ２０を取付ブラケット４０を介してフロアパネル６に固定するようにしているので、シル部材を有さない車体においても、ラッププリテンショナ２０を確実に車体に固定することができる。
特に、アンカ部に取付ブラケット４０を設けたことで、取付ブラケット４０を介してラッププリテンショナ２０を所望の姿勢にして自在にフロアパネル６に固定することができる。
【００２３】
この場合において、取付ブラケット４０はセンターピラー２の近傍に位置してフロアパネル６に結合されており、また、ラッププリテンショナ２０のシリンダ２２をセンターピラー２に沿いフロアパネル６に対し略垂直となるよう配設するので、乗員の車両への乗降時において、シリンダ２２ひいてはラッププリテンショナ２０が乗員の乗降の邪魔にならないようにできる。
【００２４】
なお、本発明は、上述した実施形態に限定されるものではなく、本発明の主旨を逸脱しない範囲内で種々可変して実施しても構わない。
例えば、上記実施形態では、フロントシート用の三点式シートベルト装置を例に説明したが、シートベルト装置はフロントシート用に限られずリヤシート用であってもよく、三点式シートベルト装置に限られず二点式シートベルト装置や四点式シートベルト装置であってもよい。
【００２５】
また、上記実施形態では、フロントシートとリヤシートとを有したピックアップトラックを例に説明したが、これに限られるものではなく、シル部材を有さない車両であれば、例えばリヤシートを有さずにリトラクタ１０がリヤピラー内に収納されるような車両であってもよく、この場合であっても、上記同様にラッププリテンショナ２０をリヤピラーの近傍でフロアパネルに固定することで、上記同様の効果を得ることができる。
【符号の説明】
【００２６】
２  センターピラー（ピラー部材）
６  フロアパネル（フロア部材）
８  リーンフォース
１０  リトラクタ
１２  シートベルト
２０  ラッププリテンショナ
２２  シリンダ
２６  フレーム部（固定部）
２７  固定孔
４０  ラッププリテンショナ取付ブラケット（アンカ部）
【図１】
2015116834.tif 000003
【図２】
2015116834.tif 000004